(57)【要約】      （修正有）【課題】携帯電話を落下により故障させたり、置き忘れたり、紛失させてしまったり、着信に気が付かず着信があったことをかなりの時間が経過してから知るなどのことは、生活や仕事に支障をきたす、不便をきたす、中には重大なトラブルを招くなどという問題、リスクに繋がることがある。【解決手段】携帯品振れ止め保持具３０４はプレート状の保持体本体３と、この保持体本体３の裏側に設けられたクリップ３０５と、このクリップ３０５に設けられた前開き着衣の前立て部位の内側に差し込まれて該前開き着衣のボタンのボタン縫い止め糸に乗り掛かる凹形態のボタン部位掛り部３０６とからなっている。【選択図】図１
2010029675.tif 000002
【特許請求の範囲】
【請求項１】
プレート状の保持体本体と、
この保持体本体の裏側に設けられたクリップと、
このクリップに設けられた前開き着衣の前立て部位の内側に差し込まれて該着衣のボタン縫い止め糸に乗り掛かる凹形態のボタン部位掛り部とからなることを特徴とする携帯品の振れ止め保持具。
【発明の詳細な説明】
【技術分野】
【０００１】
本発明は、ネックストラップなどにより首などから吊り下げた携帯電話などの携帯品の振れを抑え携帯性を向上させる携帯品振れ止め保持具に関する。
【背景技術】
【０００２】
（１）近年携帯電話は、電話機能、インターネット機能、ブログ作成、ワープロ機能、メール機能、タイマー機能、カメラ機能、ラジオ機能、音楽プレイヤー機能、テレビ機能、読書機能、お財布携帯機能、定期券機能、クレジットカード機能、ショッピング機能、ＩＤカード機能、子供居場所追跡機能、ＧＰＳ機能、家の鉤機能、室内・室外の遠隔からの画像監視機能、緊急警報受信機能、など多種多様な機能を有しており、多くの人がますます生活や仕事に欠かせないものとしている。
このような、携帯電話を落下により故障させたり、置き忘れたり、紛失させてしまったり、着信に気が付かず着信があったことをかなりの時間が経過してから知るなどのことは、生活や仕事に支障をきたす、不便をきたす、中には重大なトラブルを招くなどという問題、リスクに繋がることがあるものである。
すくなくとも、生活と仕事のなかで常に離さないように身体に携行（携帯）しておいて、且つ、上述した各種機能を素早く、軽快で最適な形で、安全に享受でき操作できるようにすることは、多くの携帯電話使用者が切望するものであり、このような携帯電話の携帯補助具なりが技術的課題として切望されている。
しかるに、この技術的課題を手軽に解決する手段として地面への落下の心配のないネックストラップがあるが、腕をある程度延ばしてボタン押し操作を行う、撮影を行うなどの操作を支障なく快適に行うためにはみぞおちより下方に常に下げていなければならず、携帯電話の下部までの首元からの下がり距離が３５ｃｍ程度となってしまい、動作のたびに大きく振れ動いてしまい、携帯電話を周囲の物に引掛けたり衝突させたりしてしまう、動作の度に常に振れるので落ち着かない、常に携帯電話の振れ動きに気遣いをしなくてはならず煩わしく強いストレスを感じるなどの欠点を有するものである。
本出願人はこの欠点を解決するために、ネックストラップで首から吊り下げた携帯電話を主に面ファスナを使用して着脱容易に、ワイシャツなどの前開き着衣の前立て部位に係止するなら振れの無い携帯と、腕を延ばしての軽快な操作と、地上に落下しない周囲の物に当たらない、すなわち「振れない携行と腕を延ばしての軽快な操作と落下しない安全性」を実現して、前述した技術的課題を解決することができると発想し、その技術の開発に傾注してきた。
（２）そもそも、１００ｇ〜２００ｇ程度の重さの携帯電話などの携帯品の振れを抑えるように前開き着衣の前立て部位に振れを抑えるように着脱自在に保持するという着想そのものがこれまで無かったものである。
（３）しかるに、「前開き着衣の前立て部位に振れを抑えるように着脱自在に保持する」ことを実現可能とする技術として、例えば特許文献１（特開平１０−３０４０３８号公報）、特許文献２（実登３０５９６８９号公報）、特許文献３（特開２００３−３１９０４６号公報）、特許文献４（特開平１１−２４４００５号公報）、特許文献５（公開実用平成３−１０６９１５号公報）、特許文献６（公開実用昭和６３−１９４８１１号公報）がある。
{特許文献１}（特開平１０−３０４０３８号公報）
（１）図３、図４に、大きくても約３ｃｍ四方形態の第１のクリップ板と、大きくても３ｃｍ四方形態の第２のクリップ板と、第１のクリップ板の表側にクリップ側面ファスナを設けてなるクリップが開示されている。その使用形態は、携帯電話の裏側に携帯品側面ファスナを設け、両面ファスナによりクリップを携帯電話の裏側の最適な位置に係着させ、着衣の胸ポケットないし下ポケット、鞄などの内側に携帯電話を入れそれらの縁をクリッ 
プで挟持して、ポケット等の内側に携帯電話を保持するというものである。（２）図１、図２、図６に、幅広の短い第１のクリップ
板と、長物（８０ｍｍ〜１００ｍｍくらいと思われる。）の二股形態の第２のクリップ板（軸）となるクリップが開示されている。その使用形態は、第２のクリップ板を取り付けて移動させてクリップの高さ位置を調節する軸受けを携帯電話に取り付け、着衣の胸ポケットないし下ポケット、鞄などの内側に携帯電話を入れそれらの縁をクリップで挟持して、ポケット等の内側に携帯電話を吊り保持するというものである。
{特許文献２}（実登３０５９６８９号公報）
図６に幅１０ｍｍ〜１５ｍｍ程度、長さ５０ｍｍ〜６０ｍｍ程度の長方形板からなる長挟持部材と、この長挟持部材に閉じ付勢状態に取り付けられた、該長挟持部材より短く且つ中ほどが持ち上がり先方で挟持する形態の短挟持部材と、長挟持部材の表面に設けられた面ファスナとからなるクリップ側面ファスナを設けてなるクリップが開示されている。その使用形態は、携帯電話側面ファスナを設けた携帯電話にクリップ側面ファスナを係着させて取り付け、着衣の胸ポケットを入れそれらの縁をクリップで挟持して、ポケット等の内側に携帯電話を吊り保持するというものである。
{特許文献３}（特開２００３−３１９０４６号公報）
幅約３０ｍｍ、長さ約６０ｍｍ程度の長方形のプレートと、このプレートの上方端方に設けられた一対の短い挟持部材からなるクリップと、このクリップの反対側となるプレート面に設けられたクリップ側面ファスナとかなるクリップ装置が開示されている。その使用形態は、携帯電話側面ファスナを設けた携帯電話にクリップ側面ファスナを係着させて取り付け、着衣の胸ポケットを入れそれらの縁をクリップで挟持して、ポケット等の内側に携帯電話を吊り保持するというものである。
{特許文献４}（特開平１１−２４４００５号公報）
ネクタイの振れを抑えるようにするための技術であって、幅４ｃｍ程度、高さ５ｃｍ程度の布生地の上方にワイシャツのボタンを通し出すボタンホールを設け、布生地の表面に面ファスナを設けてなるネクタイの振れ止め具が開示されている。その使用形態は、ネクタイ側にも面ファスナを設け面ファスナ同士を係着させてネクタイの振れを抑えるように係止するというものである。
{特許文献５}（公開実用平成３−１０６９１５号公報）
ネクタイの振れを抑えるようにするための技術であって、幅４ｃｍ程度、高さ２ｃｍ程度の一枚の板材からなるクリップであって、板材の内側に３辺を切り離す切り溝を形成して内側挟持片と外側挟持片を形成し、その内側挟持片の表側に面ファスナを設けてなるクリップが開示されている。その使用形態は、ネクタイ側にも面ファスナを設け面ファスナ同士を係着させてネクタイの振れを抑えるように係止するというものである。
{特許文献６}（公開実用昭和５９−１９４８１１号公報）
ネクタイの振れを抑えるようにするための技術であって、ネクタイピンの如き挟持具からなるクリップ本体と、このクリップ本体の一方の挟持板に設けられたクリップ側面ファスナとからなるクリップが開示されている。その使用形態は、クリップを着衣の前立てに取付け、ネクタイ側にネクタイ側面ファスナを設け、クリップ側面ファスナとネクタイ側面ファスナを係着させてネクタイの振れを抑えるようにするというものである。
【０００３】
本発明は上述した従来技術の持つ問題点に鑑みてなされたものであって、携帯品振れ止め保持具を着衣の前立て部位に挟持取り付けて、該携帯品振れ止め保持具に１００ｇ〜２００ｇの重さの携帯電話等の携帯品を着脱自在に保持した状態において、使用感のよい携帯品振れ止め保持具を提供することを目的としている。
【先行技術文献】
【特許文献】
【０００４】
【特許文献１】特開平１０−３０４０３８号公報
【特許文献２】実登３０５９６８９号公報
【特許文献３】特開２００３−３１９０４６号公報
【特許文献４】特開平１１−２４４００５号公報
【特許文献５】公開実用平成３−１０６９１５号公報
【特許文献６】公開実用昭和５９−１９４８１１号公報
【非特許文献】
【０００５】
【非特許文献１】特になし
【発明の概要】
【発明が解決しようとする課題】
【０００６】
上述した特許文献の技術を用いて、一般的なワイシャツを着てその着衣の前立て部位に１００ｇ〜２００ｇの重さの携帯電話の振れを抑えるように保持した場合、次に述べるような欠点を有するものであった。
（１） {特許文献１の技術}（特開平１０−３０４０３８号公報）
一方の面にクリップ側面ファスナを設けた約３ｃｍ四方形態のクリップを着衣の前立て部位に取り付け、これに携帯品側面ファスナを設けた携帯電話を係着保持して身体を横に繰り返し振った場合、携帯電話は前て部位の開き方向に略３０度、その反対方向に略９０度起き立つように大きく振れるという欠点を有するものである。さらにこのとき、クリップの先端である着衣の挟持部位が着衣に突き当たる、引っ張られなど力が加わり、擦れるなどの状態が生じ着衣の生地を傷めてしまうという欠点を有するものである。
一方形態電話の裏側に軸受け（携帯側面ファスナに変わるもの）を取り付け、これにの二股の８０ｍｍから１００ｍｍの第２挟持板（軸）（クリップ側面ファスナに変わるもの）を有するクリップは、面ファスナーの変わりに軸受けと長物の第２挟持坂（軸）としたものであって、ここからは、第１挟持坂に面ファスナを設けるという構成は容易には想到できないものである。
しかるに、重さの携帯電話を前開き着衣の前立て部位に振れを抑えるように保持するとう技術思想、それを示唆する記載は何らないものである。
（２） {特許文献２の技術] （実登３０５９６８９号公報）
長挟持部材が容易にしなるような部材では挟持力を得ることができないことから、長挟持部材は幅１０ｍｍ〜１５ｍｍ程度、長さ５０ｍｍ〜６０ｍｍ程度の容易にはしならない金属ないし硬質プラスチックからなるものである。着衣の前立て部位に取り付けて１００ｇ〜２００ｇの重さの携帯電話を保持した状態で身体を横に振ると、長挟持部材の先端が身体に当たり、その当たり感が硬くて強い異物感、違和感を強く感じさせる大変使用感が悪いという欠点を有するものである。
また、使用者が前向きに転倒したときに、長挟持部材が起き立った状態であった場合には、長挟持部材が腹部や胸部を強く突いて負傷させたり、最悪の場合は突き刺さる危険があるものであった。
また、短挟持部材の先方は外側に湾曲した形態なので挟持しても滑りやすく、携帯電話を保持した状態で身体を横に振ると数回〜十数回の振れで着衣から外れてしまうという欠点を有するものである。挟持状態が滑らないように短挟持部材の先方を内側に折り曲げた形態にすると、携帯電話が横に起き上がるように振れるたびに、挟持部位の布地が折られ引っ張れれてしまい、布地を傷つけてしまうという欠点を有するものであった。
しかるに、重さの携帯電話を前開き着衣の前立て部位に振れを抑えるように保持するとう技術思想、それを示唆する記載は何らないものである。
（３） {特許文献３の技術}（特開２００３−３１９０４６号公報）
着衣の前立て部位に取り付けて１００ｇ〜２００ｇの重さの携帯電話を保持した状態で身体を横に振ると、長方形のプレートの先端が身体に当たり、その当たり感が硬くて強い異物感、違和感を強く感じさせる大変使用感が悪いという欠点を有するものである。
また、短いクリップで着衣の前って部位を挟持するものであるので、、携帯電話を保持した状態で身体を横に振ると、振れるたびに挟持部位の布地が折られ引っ張れれてしまい、布地を傷つけてしまうという欠点を有するものであった。
しかるに、重さの携帯電話を前開き着衣の前立て部位に振れを抑えるように保持するとう技術思想、それを示唆する記載は何らないものである。
（４） {特許文献４の技術}（特開平１１−２４４００５号公報）
ネクタイという極めて軽いものを着衣の前立て部位に振れを抑えるように面ファスナの係着により保持するものであり、１００ｇ〜２００ｇもの重さのもの（例えば携帯電話）の振れを抑えるように保持するという発想も、技術的思想もないものである。
したがって、その構成も面ファスナを設けた布生地の上方にワイシャツのボタンを通し出すボタンホールを設けたものであって、ネクタイのような数グラム、重くても２０グラム程度の軽量なものは振れを抑えることができるものであるが、１００ｇの携帯電話と係着保持した場合は、ボタンホールが縦に開いてちょっとした振れが続くだけで直ちに外れてしまう、身体を横に振った場合にボタン部位を軸にして携帯電話は大く左右に振れるとい欠点を有するものである。このような軟弱な布生地とボタンホールという構成でによって、この軽微な挟持力構造でネクタイを係止するという目的を十分に実現しているものである。
仮に布生地ではなく硬質のプラスチックプレートで構成した場合は、身体を横に振った場合にボタン部位を軸にして携帯電話は大く左右に振れるという欠点に加えて、ボタン縫い止め糸で携帯電話の荷重を支えている上に振れにより糸を頻繁に擦るので、ボタン縫い止め糸が擦りきれてしまうという欠点を有するものであった。
（５） {特許文献５の技術}（公開実用平成３−１０６９１５号公報）
ネクタイという極めて軽いものを着衣の前立て部位に振れを抑えるように面ファスナ（ベルベット式ファスナ、フックループ式ファスナ、マジックテープ（登録商標）と呼ばれているもの。）の係着により保持するものであり、１００ｇ〜２００ｇもの重さのもの（例えば携帯電話）の振れを抑えるように保持するという発想も、技術的思想もないものである。
したがって、一枚の板片の３辺を打抜いて内側挟持片と外側挟持片を形成し、その間に着衣の前立て部位に挟み込んで係止するという極めて軽微な係止としたくリップとなっており、この軽微な挟持力構造でネクタイを係止するという目的を十分に実現しているものである。
このクリップに１００ｇ〜２００ｇの重さの携帯電話を係着保持した場合、クリップはその軽微な挟持から携帯電話の重さを支持できず、たちまち着衣の前立て部位から外れてしまうという欠点を有する、使い物にならないものであった。
そこからは、１００ｇ〜２００ｇの重さの携帯電話を振れないように着衣の前立て部位に保持したらよいという発想に想到することはできないものである。
また、外側挟持片の先端は連結された閉じ形態となっているので、ボタン縫い止め糸を中に通した状態にできず、ボタン縫い止め糸の上か下にしか取り付けることができず、取り付け部位がボタン縫い止め糸の間に限定されてしまうという欠点を有するものであった。
（６） {特許文献６の技術}（公開実用昭和５９−１９４８１１号公報）
ネクタイピンに面ファスナを取り付けたもので、特許文献２の技術と同様である。
（７） 特許文献１〜特許文献６の技術はいずれのものも、着衣の前立て部位にクリップを取り付けて、１００ｇ〜２００ｇの重さの携帯電話を着衣の前立て部位に振れを抑えるように保持する、重さのある携帯電話の振れ動きによる着衣の挟持部分を傷めないようににする、身体への違和感を少ないものにするという技術課題の記述も、それを示唆するものも何らないものである。
また、特許文献１〜特許文献６の技術はいずれのものも、ネクタイを着衣の前立て部位に係止し且つネクタイの前に携帯電話を保持することはできないものであった。
（８）２枚の別体からなる挟持部材での挟持形態である特許文献２、特許文献３においては、１００ｇ〜２００ｇの重さの携帯電話を着衣の前立て部位に振れても外れないように安定して係止するには、強い閉じ不勢力のスプリングによる強い挟持力が必要であり、これを指で摘み開くためには肉厚０．４ｍｍ金属（ステンレスや鉄）によるものでも前後長さが１０ｍｍ程度のものとなる。
この１０ｍｍ厚さのクリップが携帯電話と身体との間に位置されるので、突起が当たるような感じで身体に当たり異物感を感じさせるという欠点を有するものであった。特に胸ポケットにクリップを係止して胸ポケット外側に携帯電話を保持する携行においては顕著である。
（９）上述したいずれの技術も、着衣を挟持する形態であるため、着衣の前立て部位やポケットの無いＴしゃつなどの着衣では使用でき難いという欠点を有するものであった。
（１０）上述した技術のいずれのものも、使用者の作業・仕事形態などによりそれらに影響の少ない部位への携帯電話の振れ止め保持を自在に簡単・容易に素早く選んで使用できるものではないという欠点を有するものであった。
【０００７】
本発明は上述した従来技術の持つ問題点に鑑みてなされたものであって、携帯品振れ止め保持具を着衣の前立て部位に挟持取り付けて、該携帯品振れ止め保持具に１００ｇ〜２００ｇの重さの携帯電話等の携帯品を着脱自在に保持した状態において、使用感のよい携帯品振れ止め保持具を提供することを目的としている。
【課題を解決するための手段】
【０００８】
上記目的を達成するために、本発明は次に述べるような構成となっている。
＜請求項１記載の発明＞
プレート状の保持体本体と、
この保持体本体の裏側に設けられたクリップと、
このクリップに設けられた前開き着衣の前立て部位の内側に差し込まれて該着衣のボタン縫い止め糸に乗り掛かる凹形態のボタン部位掛り部とからなることを特徴とする携帯品の振れ止め保持具を
を構成している。
【発明の効果】
【０００９】
以上の説明から明らかなように、本発明にあっては次に列挙する効果が得られる。
＜請求項１記載の発明の効果＞
プレート状の保持体本体と、
この保持体本体の裏側に設けられたクリップと、
このクリップに設けられた前開き着衣の前立て部位の内側に差し込まれて該着衣のボタン縫い止め糸に乗り掛かる凹形態のボタン部位掛り部とからなることを特徴とする携帯品の振れ止め保持具を構成しているので、
着衣の前立て部位と着衣の内立て部位の間に差し込んだクリップの内側にボタン縫い止め糸部位を通した状態で挟持して携帯品の振れ止め保持具を係止するので、ボタンとボタン縫い止め糸により合わせ状態にある着衣の前立て部位と着衣の内立て部位により、１００ｇから２００ｇ程度の携帯電話を保持した携帯品の振れ止め保持具の振れを抑えた状態にでき、且つ、ボタン縫い止め糸に掛った外れないという効果を奏する。
これにより、使用感がよく安全なクリップ形態の携帯品の振れ止め保持具を実現するという効果を奏する。
【図面の簡単な説明】
【００１０】
【図１】本発明を実施するための最良の第１の実施の形態の正面図、背面図、底面図および使用状態。
【発明を実施するための最良の形態】
【００１１】
＜第１の実施の形態＞
図１に示す本発明を実施するための最良の第１の実施の形態において３０４は携帯品振れ止め保持具であって、この携帯品振れ止め保持具３０４はプレート状の保持体本体３と、この保持体本体３の裏側に設けられたクリップ３０５と、このクリップ３０５に設けられた該クリップ３０５が前開き着衣の前立て部位の内側に差し込まれて該前開き着衣のボタンのボタン縫い止め糸に乗り掛かる凹形態のボタン部位掛り部３０６とからなっている。
クリップは保持体本体３を折り曲げて形成したもの、射出成形による一体成形により形成したものなどもふくむものである。射出成形による一体成形の場合、保持側面ファスナやフック掛けやケース（複数の爪などでケースと同じように保持する形態を含む）も同時に一体成形するのが安価にできる。
クリップ摘み部３０７が保持体本体３と一体成形により横に突出前方に傾いて設けられ、これにストレート板部材からなるクリップ３０５が付勢手段３０３に閉じ付勢された状態で軸支部３００に取り付けられた構成となっている。クリップ３０５には滑り止めの突起を１以上設けるのがよい。
このような形態の二つの挟持板からなるクリップ部材を、保持体本体の裏側ないし表側に接着、融着するなどして設けるのもよい。凹形態のボタン部位掛り部３０６が無いストレートな形態のものもよい。
このような形態のクリップとすることにより、身体に当る突起の無い、違和感を与えない形態を実現する。
【産業上の利用可能性】
【００１２】
本発明は携帯電話などの携帯を便利にするためのグッズを製造する産業で利用される。
【符号の説明】
【００１３】
３：保持体本体、
４：携帯品、
６：保持側面ファスナ、
７：指で抑える部位、
８：指で抑える部位、
１６：保持部、
３００：軸支部、
３０３：付勢手段、
３０４：携帯品振れ止め保持具、
３０５：クリップ、
３０６：ボタン部位掛り部、
３０７：クリップ開摘み部、
【図１】
2010029675.tif 000003